(57)【要約】【課題】人の状態に応じて、活動の可否についての判断を支援する。【解決手段】情報処理装置３０は、投薬する検査の前後における人の身体バランスを取得し、取得した身体バランスの変化度合いから活動の要否を決定し、決定した活動の要否を報知する。【選択図】図３
2020092747.tif 000002
【特許請求の範囲】
【請求項１】
投薬する検査の前後における人の身体バランスを取得する取得部と、
前記取得部で取得された前記人の検査前後における身体バランスの変化度合いから、活動の要否を決定する決定部と、
前記決定部で決定された活動の要否を報知する報知部と、
を備えた情報処理装置。
【請求項２】
前記決定部は、前記人に休息が必要であると決定した場合、前記人に必要な休息時間を推定し、
前記報知部は前記人に必要な休息時間を報知する
請求項１記載の情報処理装置。
【請求項３】
前記取得部は、検査において前記人に投与された薬剤の種類を取得し、
前記決定部は、前記人の検査前後における身体バランスの変化度合い、及び前記人に投薬された薬剤の種類を用いて、前記人に必要な休息時間を決定する
請求項２記載の情報処理装置。
【請求項４】
前記人の検査前後における身体バランスの変化度合いが大きくなるような薬剤の種類ほど前記人に必要な休息時間が長くなるように、薬剤の種類毎に休息時間の決定に用いられる投薬係数が設定された
請求項３記載の情報処理装置。
【請求項５】
前記決定部は、前記人の検査前における身体バランスの優劣を示すスコアと、前記人に投薬される薬剤の種類に対応した前記投薬係数を用いて、検査が終了してから身体バランスの測定を開始するまでの期間を決定し、
前記報知部は、前記期間を報知する
請求項４記載の情報処理装置。
【請求項６】
前記人の検査前後における身体バランスの変化度合いが大きくなるような薬剤の種類ほど前記投薬係数が大きくなるように設定され、かつ、身体バランスが優れているほど前記スコアが大きくなるように設定されている場合、
前記決定部は、前記スコアを前記投薬係数で割った評価値が小さくなるに従って、前記期間が長くなるように決定する
請求項５記載の情報処理装置。
【請求項７】
前記取得部は、前記人の検査前後における血圧を取得し、
前記決定部は、前記取得部で取得した前記人の検査前後における血圧の変化度合いを加味して、前記人の休息の要否を推定する
請求項１〜請求項６の何れか１項に記載の情報処理装置。
【請求項８】
前記人における身体バランスが、頭部移動距離、頭部移動面積、足圧重心移動距離、及び足圧重心移動面積で表され、前記頭部移動距離、前記頭部移動面積、前記足圧重心移動距離、及び前記足圧重心移動面積の各項目うち、予め定めた数の項目における検査前後の変化度合い、または、血圧の変化度合いが許容範囲を超えた場合に、前記決定部は、前記人に休息が必要であると決定する
請求項７記載の情報処理装置。
【請求項９】
前記取得部は、前記人の検査前後における血圧を更に取得し、
前記決定部は、前記取得部で取得した前記人の検査前後における血圧の変化度合いを加味して、前記人に必要な休息時間を決定する
請求項２〜請求項６の何れか１項に記載の情報処理装置。
【請求項１０】
前記取得部は、前記人が閉眼した状態での身体バランスを取得する
請求項１〜請求項９の何れか１項に記載の情報処理装置。
【請求項１１】
コンピュータを、請求項１〜請求項１０の何れか１項に記載の情報処理装置の各部として機能させるための情報処理プログラム。
【発明の詳細な説明】
【技術分野】
【０００１】
本発明は、情報処理装置、及び情報処理プログラムに関する。
【背景技術】
【０００２】
特許文献１には、力誘導手段に働く力を測定して時間分解的に評価することのできる力評価装置であって、１つの面に配置した少なくとも３つの力誘導手段であって、その各々が単一の入力と単一の出力を有する、前記力誘導手段と、前記力誘導手段に連結した堅固で歩行可能な支持板であって、前記力誘導手段を前記支持板の側部に前記支持板に隣接して配置し、前記支持板に働く圧縮力から生じて前記力誘導手段に作用する力を時間分解的に検出することができる、前記支持板と、前記単一の出力側で前記力誘導手段に接続される評価手段であって、前記力誘導手段のうちの少なくとも１つの出力信号の合計から形成された全体信号を計算することのできるパワースペクトル計算手段、または前記全体信号の時間微分と前記時間微分から導出する更なるパラメータとを計算することのできる微分手段の少なくとも一方を有する前記評価手段を含む力評価装置が開示されている。
【先行技術文献】
【特許文献】
【０００３】
【特許文献１】特表２００８−５０４０８０号公報
【発明の概要】
【発明が解決しようとする課題】
【０００４】
例えば病院で検査を行うために人に薬剤が投与された場合、人によってはめまいや足元のふらつきが残ることがあるため、薬剤が投与された人に医療従事者が病院で休息をとってから帰宅するように指示する場合がある。しかしながら、活動の可否は、医療従事者の経験に基づく主観的な判断によって行われており、その判断にばらつきがみられることがある。
【０００５】
本発明は、人の状態に応じて、検査後における活動の可否についての判断を支援することができる情報処理装置、及び情報処理プログラムを提供することを目的とする。
【課題を解決するための手段】
【０００６】
第１態様に係る情報処理装置は、投薬する検査の前後における人の身体バランスを取得する取得部と、前記取得部で取得された前記人の検査前後における身体バランスの変化度合いから、活動の要否を決定する決定部と、前記決定部で決定された活動の要否を報知する報知部と、を備える。
【０００７】
第２態様に係る情報処理装置は、第１態様に係る情報処理装置において、前記決定部が、前記人に休息が必要であると決定した場合、前記人に必要な休息時間を推定し、前記報知部が前記人に必要な休息時間を報知する。
【０００８】
第３態様に係る情報処理装置は、第２態様に係る情報処理装置において、前記取得部が、検査において前記人に投与された薬剤の種類を取得し、前記決定部が、前記人の検査前後における身体バランスの変化度合い、及び前記人に投薬された薬剤の種類を用いて、前記人に必要な休息時間を決定する。
【０００９】
第４態様に係る情報処理装置は、第３態様に係る情報処理装置において、前記人の検査前後における身体バランスの変化度合いが大きくなるような薬剤の種類ほど前記人に必要な休息時間が長くなるように、薬剤の種類毎に休息時間の決定に用いられる投薬係数が設定される。
【００１０】
第５態様に係る情報処理装置は、第４態様に係る情報処理装置において、前記決定部が、前記人の検査前における身体バランスの優劣を示すスコアと、前記人に投薬される薬剤の種類に対応した前記投薬係数を用いて、検査が終了してから身体バランスの測定を開始するまでの期間を決定し、前記報知部が、前記期間を報知する。
【００１１】
第６態様に係る情報処理装置は、第５態様に係る情報処理装置において、前記人の検査前後における身体バランスの変化度合いが大きくなるような薬剤の種類ほど前記投薬係数が大きくなるように設定され、かつ、身体バランスが優れているほど前記スコアが大きくなるように設定されている場合、前記決定部は、前記スコアを前記投薬係数で割った評価値が小さくなるに従って、前記期間が長くなるように決定する。
【００１２】
第７態様に係る情報処理装置は、第１態様〜第６態様の何れかの態様に係る情報処理装置において、前記取得部が、前記人の検査前後における血圧を取得し、前記決定部が、前記取得部で取得した前記人の検査前後における血圧の変化度合いを加味して、前記人の休息の要否を推定する。
【００１３】
第８態様に係る情報処理装置は、第７態様に係る情報処理装置において、前記人における身体バランスが、頭部移動距離、頭部移動面積、足圧重心移動距離、及び足圧重心移動面積で表され、前記頭部移動距離、前記頭部移動面積、前記足圧重心移動距離、及び前記足圧重心移動面積の各項目うち、予め定めた数の項目における検査前後の変化度合い、または、血圧の変化度合いが許容範囲を超えた場合に、前記決定部は、前記人に休息が必要であると決定する。
【００１４】
第９態様に係る情報処理装置は、第２態様〜第６態様の何れかの態様に係る情報処理装置において、前記取得部が、前記人の検査前後における血圧を更に取得し、前記決定部が、前記取得部で取得した前記人の検査前後における血圧の変化度合いを加味して、前記人に必要な休息時間を決定する。
【００１５】
第１０態様に係る情報処理装置は、第１態様〜第９態様の何れかの態様に係る情報処理装置において、前記取得部が、前記人が閉眼した状態での身体バランスを取得する。
【００１６】
第１１態様に係る情報処理プログラムは、コンピュータを、第１態様〜第１０態様の何れかの態様に係る情報処理装置の各部として機能させるためのプログラムである。
【発明の効果】
【００１７】
第１態様、及び第１１態様によれば、人の状態に応じて、検査後における活動の可否についての判断を支援することができる、という効果を有する。
【００１８】
第２態様によれば、医療従事者が経験に基づいて、投薬の影響によるふらつきが治まるまでに要する休息時間を判断するよりも精度の高い休息時間を報知することができる、という効果を有する。
【００１９】
第３態様によれば、人の検査前後における身体バランスの変化度合いだけから休息時間を推定する場合と比較して、休息時間を精度よく推定することができる、という効果を有する。
【００２０】
第４態様によれば、薬剤が人の身体バランスに与える影響度を考慮して、休息時間を推定することができる、という効果を有する。
【００２１】
第５態様によれば、検査後の身体バランスの測定中に人がふらついて怪我することを抑制することができる、という効果を有する。
【００２２】
第６態様によれば、同じ種類の薬剤を人に投与した場合であっても、身体バランスの測定に関して、人の安全を確保した上で測定が行えるようになる時期を人毎に推定することができる、という効果を有する。
【００２３】
第７態様によれば、人の検査前後における身体バランスの変化度合いだけから活動の要否を推定する場合と比較して、人に対する活動の要否を精度よく推定することができる、という効果を有する。
【００２４】
第８態様によれば、人の身体バランスを足元のふらつき度合いだけで評価する場合よりも、活動の要否を精度よく推定することができる、という効果を有する。
【００２５】
第９態様によれば、人の検査前後における身体バランスの変化度合いだけから休息時間を推定する場合と比較して、休息時間を精度よく推定することができる、という効果を有する。
【００２６】
第１０態様によれば、開眼状態で測定された身体バランスよりも、脳の状態を反映した身体バランスを取得することができる、という効果を有する。
【図面の簡単な説明】
【００２７】
【図１】情報処理システムの構成例を示す図である。
【図２】バランス測定器の構成例を示す図である。
【図３】情報処理装置の機能構成例を示す図である。
【図４】検査前の人のバランス情報の一例を示す図である。
【図５】検査後の人のバランス情報の一例を示す図である。
【図６】情報処理装置における電気系統の要部構成例を示す図である。
【図７】第１実施形態に係る情報処理の流れの一例を示すフローチャートである。
【図８】操作画面の一例を示す図である。
【図９】第１実施形態の変形例に係る情報処理の流れの一例を示すフローチャートである。
【図１０】第２実施形態に係る情報処理の流れの一例を示すフローチャートである。
【発明を実施するための形態】
【００２８】
以下、本実施の形態について図面を参照しながら説明する。なお、機能が同じ構成要素及び処理には全図面を通して同じ符合を付与し、重複する説明を省略する。
【００２９】
＜第１実施形態＞
図１は、本実施の形態に係る情報処理システム１００の構成例を示す図である。情報処理システム１００は、検査のために人に薬剤を投与した場合、例えば人に休息をとってもらってから帰宅させた方がよいのか、それともすぐにでも帰宅してもらっても大丈夫なのかといった、人の活動の可否に関する参考情報を報知するシステムである。医療機関において薬剤が投与される人の中には治療を要する患者の他、例えば健常者であっても健康診断等の検査のために薬剤が投与される検診者等が含まれるが、以降では、医療機関で検査の対象となっている人を総称して「患者」ということにする。
【００３０】
情報処理システム１００は、バランス測定器１０、血圧計２０、及び情報処理装置３０を含み、バランス測定器１０及び情報処理装置３０が通信回線２で接続され、血圧計２０及び情報処理装置３０が通信回線４で接続される。
【００３１】
バランス測定器１０は、立った状態における患者の身体の揺れを測定する測定器である。身体の揺れは、例えば足の筋力の低下といった基礎体力の低下の他、投与された薬剤の影響によるめまいやふらつきといった生理的作用によって発生することがある。
【００３２】
図２は、バランス測定器１０の構成例を示す図である。図２に示すように、バランス測定器１０は、患者の頭部の動きを測定する頭部動きセンサ１２、患者の足元の動きを測定する足圧センサ１４、患者の頭部に載せられたマーカー１６、及び患者の頭上に配置される頭部動きセンサ１２を支える支柱１８を含んで構成される。
【００３３】
頭部動きセンサ１２は患者の頭部の動きを測定するものであればどのようなセンサであってもよく、例えば患者の頭部を撮影するカメラ、または電波や光を用いて頭部までの距離を測定することで患者の頭部の動きを測定する距離センサが用いられる。ここでは一例として、特に断りのない場合、頭部動きセンサ１２としてカメラが用いられている構成について説明を行う。
【００３４】
足圧センサ１４は、患者の足元に敷かれたシート状のセンサであり、内部に備えられた圧力センサによって患者の足の位置、及び足裏における力のかかり具合を測定する。
【００３５】
マーカー１６は、患者の頭の位置を示すために用いられる標識である。マーカー１６の大きさは予め規定の大きさに定められており、頭部動きセンサ１２で撮影された画像におけるマーカー１６の大きさとマーカー１６の本来の大きさを比較することで、頭部動きセンサ１２から患者の頭部までの距離が得られる。また、マーカー１６を用いた場合、患者の頭上にマーカー１６を配置しない場合と比較して、画像における頭部の位置が特定されやすくなるため、患者の頭部の動きが精度よく測定されることになる。
【００３６】
バランス測定器１０の足圧センサ１４上に直立する患者の姿勢が崩れた場合、頭部動きセンサ１２で撮影された画像、及び足圧センサ１４の測定値の少なくとも一方に変化が生じることから、頭部動きセンサ１２で撮影された画像データ、及び足圧センサ１４で測定された足圧データは患者の身体バランスを表す身体バランスデータの一例である。
【００３７】
患者の身体バランスデータを測定する場合、バランス測定器１０を用いたロンベルグ試験が行われる。ロンベルグ試験とは患者の平衡感覚を測定する試験であり、患者が両足または片足立ちで立った姿勢を予め定めた時間（例えば３０秒）観察し、身体動揺の程度を測定する。
【００３８】
病院で検査を受ける患者は比較的高齢者が多く、健常者に比べて体力が低下している場合が多い。したがって、患者を片足立ちで立たせた場合、ふらついて怪我をする危険性がある上、ふらつきが筋力の低下によるものなのか、薬剤の影響によるものなのか判断しにくい側面がある。したがって、バランス測定器１０を用いたロンベルグ試験は両足立ちの状態で行われる。
【００３９】
また、ロンベルグ試験は、患者が開眼したままでも閉眼してもどちらの状態で実施してもよいが、閉眼した場合の平衡感覚は例えば三半規管によって制御され、三半規管は薬剤の影響を受ける脳機能を構成する部位であることから、薬剤による脳への影響の程度を測定するためには、患者が閉眼した状態でロンベルグ試験を行うことが好ましい。本実施の形態でも、患者が閉眼した状態でロンベルグ試験を実施するが、閉眼させると開眼した状態よりもふらつきが大きくなる傾向があることから、特に患者が高齢者の場合やふらつきの程度が大きい人の場合、転倒を抑制する目的で開眼した状態でロンベルグ試験を実施することもある
【００４０】
頭部動きセンサ１２で撮影された画像データ、及び足圧センサ１４で測定された足圧データは通信回線２を通じて情報処理装置３０に送信されるが、バランス測定器１０と情報処理装置３０は必ずしも通信回線２で接続される必要はない。バランス測定器１０と情報処理装置３０が通信回線２で接続されていない場合、例えばバランス測定器１０の記憶装置に記憶された画像データ及び足圧データをＵＳＢ(Universal Serial Bus)メモリやメモリカード等の持ち運び可能な半導体メモリに移し、当該半導体メモリを介して情報処理装置３０に入力するようにしてもよい。
【００４１】
医療従事者はバランス測定器１０を用いて、検査前の患者の身体バランスデータと、検査後の患者の身体バランスデータを測定する。「医療従事者」とは例えば医師、看護師、及び臨床検査技師等、医療業務に関わる人をいう。
【００４２】
血圧計２０は、患者の血圧を測定する測定器であり、通信回線４を通じて測定した血圧を情報処理装置３０に送信する。血圧計２０と情報処理装置３０も必ずしも通信回線４で接続される必要はなく、血圧計２０と情報処理装置３０が通信回線４で接続されていない場合、例えば医療従事者が血圧計２０で測定された患者の血圧を紙等に記録しておき、情報処理装置３０が表示する画面の入力領域に測定した血圧を後からキーボードを用いて打ち込んでもよい。また、上述したように半導体メモリを介して、血圧計２０に記憶された患者の血圧を情報処理装置３０に入力するようにしてもよい。
【００４３】
医療従事者は血圧計２０を用いて、検査前の患者の血圧と、検査後の患者の血圧を測定する。
【００４４】
情報処理装置３０は、バランス測定器１０で測定された検査前後の患者の身体バランスデータ、及び血圧計２０で測定された検査前後の患者の血圧を用いて、患者が病院で休息してから帰宅したほうがよいか、それとも休息することなくすぐにでも帰宅してよいかといった活動の可否を決定し、活動の可否を医療従事者に報知する。活動の可否は患者の活動状況を表す内容であることから、本実施の形態に係る活動の要否の一例である。
【００４５】
医療従事者は、情報処理装置３０から報知された休息の要否を参考にして、患者に休息が必要か否か最終的に判断する。
【００４６】
通信回線２及び通信回線４は、無線回線であっても有線回線であってもよく、また、構内ＬＡＮ(Local Area Network)のような専用回線であっても、インターネットのように不特定多数の装置が接続される公衆回線であってもよい。無線回線には、例えば無線ＬＡＮ、ブルートゥース（登録商標）、及び近距離無線通信(Near Field Communication：ＮＦＣ)が用いられる。
【００４７】
図３は、情報処理装置３０における機能構成例を示す図である。情報処理装置３０は、取得部３２、抽出部３４、決定部３６、及び報知部３８を含む。
【００４８】
取得部３２は、バランス測定器１０から患者の画像データ及び足圧データを含む検査前後の身体バランスデータを取得すると共に、血圧計２０から検査前後の患者の血圧を取得する。取得部３２は、取得した検査前後の患者の身体バランスデータを抽出部３４に通知する一方、検査前後の患者の血圧を決定部３６に通知する。
【００４９】
抽出部３４は身体バランスデータを受け付けると、身体バランスデータに含まれる画像データから患者の頭部の動きを取得して、取得した頭部の動きから、患者における頭部の動きの程度を表す頭部移動情報を抽出する。また、抽出部３４は、足圧データから患者の足の移動状況を取得して、取得した足の移動状況から患者における足元のふらつきの程度を表す足圧重心情報を抽出する。頭部移動情報及び足圧重心情報を総称して「バランス情報」ということがある。
【００５０】
頭部移動情報には、ロンベルグ試験の期間中における患者の頭部の移動距離を表す頭部移動距離Ｄhaed、及び頭部の移動の程度を移動した範囲の面積で表した頭部移動面積Ａhaedが含まれる。また、足圧重心情報には、ロンベルグ試験の期間中における患者の足圧重心の移動距離を表す足圧重心移動距離Ｄfoot、及び足圧重心の移動の程度を移動した範囲の面積で表した足圧重心移動面積Ａfootが含まれる。なお、「足圧重心」とは足圧センサ１４に圧力がかかっている範囲の重心であり、例えばロンベルグ試験の期間中は予め定めた間隔毎に算出される。
【００５１】
頭部移動情報は頭部移動距離Ｄhaed、及び頭部移動面積Ａhaedに限られず、例えば頭部が移動する際の加速度（頭部移動加速度）を含めてもよい。同様に、足圧重心情報も足圧重心移動距離Ｄfoot、及び足圧重心移動面積Ａfootに限られず、例えば足圧重心が変化する際の加速度（足圧重心移動加速度）を含めてもよい。以降では一例として、抽出部３４が画像データから頭部移動距離Ｄhaed、及び頭部移動面積Ａhaedを頭部移動情報として抽出し、足圧データから足圧重心移動距離Ｄfoot、及び足圧重心移動面積Ａfootを足圧重心情報として抽出する例について説明する。
【００５２】
なお、説明の便宜上、検査前の頭部移動距離Ｄhaedを“頭部移動距離Ｄhaed1”、検査前の頭部移動面積Ａhaedを“頭部移動面積Ａhaed1”、検査前の足圧重心移動距離Ｄfootを“足圧重心移動距離Ｄfoot1”、及び検査前の足圧重心移動面積Ａfootを“足圧重心移動面積Ａfoot1”とする。同様に、検査後の頭部移動距離Ｄhaedを“頭部移動距離Ｄhaed2”、検査後の頭部移動面積Ａhaedを“頭部移動面積Ａhaed2”、検査後の足圧重心移動距離Ｄfootを“足圧重心移動距離Ｄfoot2”、及び検査後の足圧重心移動面積Ａfootを“足圧重心移動面積Ａfoot2”とする。
【００５３】
このように抽出部３４は、検査前の患者の身体バランスデータ、及び検査後の患者の身体バランスデータからそれぞれバランス情報を抽出する。
【００５４】
図４は、抽出部３４で抽出される検査前の患者のバランス情報の一例を示す図であり、図５は、抽出部３４で抽出される検査後の患者のバランス情報の一例を示す図である。
【００５５】
図４及び図５に示すグラフの横軸は、図２に示したＸ軸方向（患者が支柱１８と向き合って足圧センサ１４に立った場合における患者の左右方向）に沿った頭部及び足圧重心の移動距離を表す。また、図４及び図５に示すグラフの縦軸は、図２に示したＹ軸方向（患者が支柱１８と向き合って足圧センサ１４に立った場合における患者の前後方向）に沿った頭部及び足圧重心の移動距離を表す。図４及び図５において、点線６で表されたグラフが各時点における頭部の位置を時系列に沿って繋いで作成した頭部の移動軌跡を表し、実線８で表されたグラフが各時点における足圧重心の位置を時系列に沿って繋いで作成した足圧重心の移動軌跡を表す。
【００５６】
図４及び図５における“HEAD DELTA X”はＸ軸方向に沿った頭部の移動範囲の距離（頭部Ｘ軸方向移動範囲）であり、“HEAD DELTA Y”はＹ軸方向に沿った頭部の移動範囲（頭部Ｙ軸方向移動範囲）の距離である。“HEAD Area”は頭部の移動軌跡によって形成された領域の面積であり、頭部移動面積Ａhaedに相当する。“FOOT DELTA X”はＸ軸方向に沿った足圧重心の移動範囲の距離（足圧重心Ｘ軸方向移動範囲）であり、“FOOT DELTA Y”はＹ軸方向に沿った足圧重心の移動範囲の距離（足圧重心Ｙ軸方向移動範囲）である。“FOOT Area”は足圧重心の移動軌跡によって形成された領域の面積であり、足圧重心移動面積Ａfootに相当する。
【００５７】
また、“Head Total Length”は頭部の移動軌跡の総延長距離であり、頭部移動距離Ｄhaedに相当する。“Foot Total Length”は足圧重心の移動軌跡の総延長距離であり、足圧重心移動距離Ｄfootに相当する。“Distance center of Head and Foot”は、頭部の移動軌跡によって形成された領域の重心と、足圧重心の移動軌跡によって形成された領域の重心を接続する線分の距離（頭部足圧中心距離）を示す。
【００５８】
図４及び図５に示す患者のバランス情報によれば、頭部移動距離Ｄhaed1は１７２．７２６ｃｍ、頭部移動面積Ａhaed1は１５．３ｃｍ2、足圧重心移動距離Ｄfoot1は３７．６３９ｃｍ、及び足圧重心移動面積Ａfoot1は３．２ｃｍ2となっている。また、頭部移動距離Ｄhaed2は３６９．７７３ｃｍ、頭部移動面積Ａhaed2は１４２．１ｃｍ2、足圧重心移動距離Ｄfoot2は１４１．６１０ｃｍ、及び足圧重心移動面積Ａfoot2は３３．３ｃｍ2となっている。
【００５９】
すなわち、検査で投与された薬剤の影響によって、検査後のバランス情報は検査前のバランス情報よりもふらつきが大きくなっていることを示す値となる傾向がみられる。この傾向は、頭部Ｘ軸方向移動範囲、頭部Ｙ軸方向移動範囲、足圧重心Ｘ軸方向移動範囲、足圧重心Ｙ軸方向移動範囲、及び頭部足圧中心距離によっても示されている。なお、図４及び図５に示されている“Score”については後ほど説明する。
【００６０】
抽出部３４は、検査前後の身体バランスデータからそれぞれ抽出したバランス情報を決定部３６に通知する。
【００６１】
決定部３６は検査前後の患者のバランス情報、及び検査前後の患者の血圧を受け付けると、受け付けたバランス情報から得られる、検査前後における身体バランスの変化度合いと、受け付けた血圧から得られる、検査前後における血圧の変化度合いを用いて、検査を受けた患者に対する休息の要否を決定し、決定結果を報知部３８に通知する。
【００６２】
報知部３８は決定部３６から決定結果を受け付けると、検査後の患者に対する休息の要否を含む決定結果を医療従事者に報知する。
【００６３】
図６は、情報処理装置３０における電気系統の要部構成例を示す図である。図３に示した機能構成を有する情報処理装置３０は、例えばコンピュータ４０を用いて構成される。
【００６４】
コンピュータ４０は、図３に示した情報処理装置３０の各部を担うＣＰＵ(Central Processing Unit)４１、情報処理プログラムを記憶するＲＯＭ(Read Only Memory)４２、ＣＰＵ４１の一時的な作業領域として使用されるＲＡＭ(Random Access Memory)４３、不揮発性メモリ４４、及び入出力インターフェース(Ｉ／Ｏ)４５を備える。そして、ＣＰＵ４１、ＲＯＭ４２、ＲＡＭ４３、不揮発性メモリ４４、及びＩ／Ｏ４５がバス４６を介して各々接続されている。
【００６５】
不揮発性メモリ４４は、不揮発性メモリ４４に供給される電力が遮断されても、記憶した情報が維持される記憶装置の一例であり、例えば半導体メモリが用いられるが、ハードディスクを用いてもよい。不揮発性メモリ４４は、必ずしもコンピュータ４０に内蔵されている必要はなく、例えばメモリカードのようにコンピュータ４０に着脱可能な記憶装置として用いられてもよい。
【００６６】
一方、Ｉ／Ｏ４５には、例えば通信ユニット４７、入力ユニット４８、及び表示ユニット４９が接続される。
【００６７】
通信ユニット４７は通信回線２及び通信回線４とそれぞれ接続し、バランス測定器１０、血圧計２０、及び図示しない外部装置とデータ通信を行う通信プロトコルを備える。
【００６８】
入力ユニット４８は、医療従事者からの指示を受け付けてＣＰＵ４１に通知する入力装置であり、例えばボタン、キーボード、マウス、及びタッチパネル等が用いられる。
【００６９】
表示ユニット４９は、ＣＰＵ４１によって処理された情報を画像として表示する表示装置であり、例えば液晶ディスプレイ、または有機ＥＬ(Electro Luminescence)ディスプレイ等が用いられる。
【００７０】
なお、Ｉ／Ｏ４５に接続されるユニットは、図６に示したユニットに限定されない。例えば情報処理装置３０での決定内容を音声で出力する音声出力ユニットや、情報処理装置３０の決定内容を用紙等の記録媒体に印字する印字ユニットをＩ／Ｏ４５に接続してもよい。
【００７１】
次に、図７を参照して、情報処理装置３０の動作について説明する。
【００７２】
図７は、情報処理装置３０が医療従事者から患者の身体バランスの取得指示を受け付けた場合に、ＣＰＵ４１によって実行される情報処理の流れの一例を示すフローチャートである。
【００７３】
情報処理を規定する情報処理プログラムは、例えば情報処理装置３０のＲＯＭ４２に予め記憶されている。情報処理装置３０のＣＰＵ４１は、ＲＯＭ４２に記憶される情報処理プログラムを読み込み、情報処理を実行する。なお、同姓同名の患者を区別するため、患者には患者を一意に識別する患者ＩＤが割り当てられているものとする。
【００７４】
ステップＳ１０において、ＣＰＵ４１は、受け付けた取得指示が検査前における患者の身体バランスの取得指示であるか否かを判定する。ＣＰＵ４１は取得指示に含まれる、検査の前か後かを指定した属性値を参照することで、検査前における患者の身体バランスの取得指示か否かを判定する。検査前の取得指示である場合にはステップＳ２０に移行する。
【００７５】
ステップＳ２０において、ＣＰＵ４１は、バランス測定器１０の足圧センサ１４に閉眼した状態で立つ検査前の患者の身体バランスデータを取得して、ＲＡＭ４３に記憶する。ＣＰＵ４１は、ステップＳ２０の処理でバランス測定器１０に対して測定の開始を指示して、リアルタイムに患者の身体バランスデータを取得するが、既に測定された患者の身体バランスデータが記憶されたバランス測定器１０のメモリから検査前の患者の身体バランスデータを取得してもよい。この場合、バランス測定器１０での身体バランスの測定と、情報処理装置３０の操作をそれぞれ独立して実施することができる。
【００７６】
ステップＳ３０において、ＣＰＵ４１は、ステップＳ２０で取得した検査前の患者の身体バランスデータからバランス情報を抽出して、抽出したバランス情報を患者ＩＤと対応付けて不揮発性メモリ４４に記憶する。
【００７７】
なお、足圧センサ１４から頭部動きセンサ１２までの距離は固定値であり、画像データに含まれるマーカー１６の大きさに基づいて、頭部動きセンサ１２から患者の頭部までの距離が得られることから患者の身長が推定される。患者の身長によって、頭部動きセンサ１２から患者の頭部までの距離が異なることから、患者の頭部が同じ距離を移動した場合であっても、身長が異なれば画像データ上での頭部の移動距離が異なることになる。
【００７８】
したがって、ＣＰＵ４１は、頭部動きセンサ１２で撮影された画像データから頭部移動距離Ｄhaed1及び頭部移動面積Ａhaed1を抽出する場合、推定した患者の身長を用いて画像データから得られた頭部移動距離Ｄhaed1、及び頭部移動面積Ａhaed1を補正してもよい。身長と補正値との対応付けは、情報処理システム１００の実機による実験や情報処理システム１００の設計仕様に基づくコンピュータシミュレーション等により予め求められ、補正テーブルとして不揮発性メモリ４４に予め記憶しておけばよい。
【００７９】
ステップＳ４０において、ＣＰＵ４１は、検査前の患者の血圧を取得し、取得した血圧を患者ＩＤと対応付けて不揮発性メモリ４４に記憶する。
【００８０】
以上により、検査前の患者のバランス情報及び血圧が患者ＩＤと対応付けられて不揮発性メモリ４４に記憶されるため、図７に示した情報処理を終了する。
【００８１】
図８は、情報処理装置３０の表示ユニット４９に表示される操作画面５０の一例である。操作画面５０には、検査前の身体バランスを測定するのか、それとも検査後の身体バランスを測定するのかを選択するラジオボタン５１、バランス測定器１０に対して患者の身体バランスの測定の開始を指示する計測スタートボタン５２、及び患者の血圧を入力するエディットボックス５３が含まれる。また、操作画面５０には、休息の要否を判定する推定開始ボタン５４、及び休息の要否を含む内容を表示する表示領域５５が含まれる。
【００８２】
エディットボックス５３に入力した血圧は、ラジオボタン５１で選択した身体バランスの測定状態と対応付けられる。すなわち、検査前の身体バランスの測定が選択されている場合には検査前の血圧として認識され、検査後の身体バランスの測定が選択されている場合には検査後の血圧として認識される。
【００８３】
なお、操作画面５０は必ずしも情報処理装置３０の表示ユニット４９に表示される必要はなく、例えばＣＰＵ４１は、医療従事者が予め登録しているスマートフォン等の情報機器に操作画面５０を表示するようにしてもよい。この場合、医療従事者は情報処理装置３０が設置されている場所まで移動することなく、情報処理装置３０の操作が可能となる。
【００８４】
薬剤を投与された患者の検査が終了した後、当該患者に対する休息の要否を決定するため、図８に示した操作画面５０を通じて医療従事者から検査後における患者の身体バランスの取得指示を受け付けた場合に、再び図７に示した情報処理が実行される。
【００８５】
この場合、操作画面５０を操作する医療従事者によって、検査後の身体バランスの測定に対応したラジオボタン５１が選択された状態で計測スタートボタン５２が押下される。したがって、ステップＳ１０の判定処理で、検査前における患者の身体バランスの取得指示ではないと判定され、ステップＳ１００が実行される。
【００８６】
ステップＳ１００において、ＣＰＵ４１は、バランス測定器１０の足圧センサ１４に閉眼した状態で立つ検査後の患者の身体バランスデータを取得して、ＲＡＭ４３に記憶する。ステップＳ２０の処理で説明したように、ＣＰＵ４１は、既に測定された患者の身体バランスデータが記憶されたバランス測定器１０のメモリから検査後の患者の身体バランスデータを取得してもよい。
【００８７】
ステップＳ１１０において、ＣＰＵ４１は、ステップＳ１００で取得した検査後の患者の身体バランスデータからバランス情報を抽出して、抽出したバランス情報を患者ＩＤと対応付けて不揮発性メモリ４４に記憶する。
【００８８】
なお、ステップＳ３０で説明したように、頭部移動距離Ｄhaed2及び頭部移動面積Ａhaed2は、推定した患者の身長と補正テーブルを用いて補正してもよい。
【００８９】
ステップＳ１２０において、ＣＰＵ４１は、検査後の患者の血圧を取得し、取得した血圧を患者ＩＤと対応付けて不揮発性メモリ４４に記憶する。
【００９０】
以上により、検査後の患者のバランス情報及び血圧が患者ＩＤと対応付けられて不揮発性メモリ４４に記憶される。
【００９１】
ステップＳ１３０において、ＣＰＵ４１は、休息の要否に関する判定の開始が指示されたか否かを判定する。休息の要否に関する判定の開始が指示されたか否かは、例えば操作画面５０の推定開始ボタン５４の押下状態によって判定される。ＣＰＵ４１は、推定開始ボタン５４が押下されていない場合にはまだ判定の開始が指示されていないと判定し、ステップＳ１３０の判定処理を繰り返し実行することで推定開始ボタン５４の押下状態を監視する。
【００９２】
一方、ＣＰＵ４１は、推定開始ボタン５４が押下された場合には判定の開始が指示されたと判定し、ステップＳ１４０に移行する。
【００９３】
ここでは一例として、推定開始ボタン５４の押下を休息の要否に関する判定を開始するための指示とみなしたが、当該判定の開始の指示方法はこれに限られない。例えば、検査後の患者の身体バランスデータ及び検査後の患者の血圧の取得により、即座に休息の要否の判定を開始してもよい。この場合、ステップＳ１３０の判定処理は不要となる。
【００９４】
ステップＳ１４０において、ＣＰＵ４１は、検査前後における患者の身体バランスの変化度合いから、検査を受けた患者に対して休息の要否を決定する。
【００９５】
そのため、ＣＰＵ４１は、ステップＳ３０及びステップＳ１１０でそれぞれ抽出したバランス情報に含まれる各項目について、検査前後における変化量の大きさ、すなわち、バランス情報の検査前後の変化度合いを算出する。本実施の形態の例では、バランス情報に頭部移動距離Ｄhaed、頭部移動面積Ａhaed、足圧重心移動距離Ｄfoot、及び足圧重心移動面積Ａfootが含まれる。したがって、ＣＰＵ４１はバランス情報の検査前後の変化度合いを表す指標値として、頭部移動距離変化量δＤhaed、頭部移動面積変化量δＡhaed、足圧重心移動距離変化量δＤfoot、及び足圧重心移動面積変化量δＡfootを算出する。頭部移動距離変化量δＤhaed、頭部移動面積変化量δＡhaed、足圧重心移動距離変化量δＤfoot、及び足圧重心移動面積変化量δＡfootは（１）式で表される。
【００９６】
【数１】
2020092747.tif 000003
【００９７】
頭部移動距離変化量δＤhaed、頭部移動面積変化量δＡhaed、足圧重心移動距離変化量δＤfoot、及び足圧重心移動面積変化量δＡfootが大きいほど、検査で投与された薬剤の影響によって、患者が検査前よりふらつきが大きくなっている状態であることを表す。すなわち、こうしたバランス情報に含まれる各項目のうち、患者が病院からすぐ帰宅することに問題がないと考えられる程度の許容範囲内のふらつきに治まっている項目の数が多くなるほど、病院で休息を取らずにすぐに帰宅しても問題ないと考えられる。したがって、頭部移動距離変化量δＤhaed、頭部移動面積変化量δＡhaed、足圧重心移動距離変化量δＤfoot、及び足圧重心移動面積変化量δＡfootに対するそれぞれの上限許容値をＴｈＤhaed、ＴｈＡhaed、ＴｈＤfoot、及びＴｈＡfootとすれば、δＤhaed＜ＴｈＤhaed、δＡhaed＜ＴｈＡhaed、δＤfoot＜ＴｈＤfoot、及びδＡfoot＜ＴｈＡfootの各条件式の成立数（以降、「バランス値ＢＶ」という）が患者の帰宅許可の目安を表すことになる。この場合、バランス値ＢＶが大きいほど、検査後の患者のふらつきが治まっていることを表す。なお、ここでは一例として、検査前後における患者の身体バランスの変化度合いを、検査前後におけるバランス情報の差分で表したが、バランス情報の比率で表してもよい。
【００９８】
一方、検査で投与された薬剤の影響により血圧の低下が起こるとめまいが発生することがあり、こうした状態で患者を帰宅させることは危険である。したがって、ＣＰＵ４１はステップＳ４０で取得した検査前の血圧と、ステップＳ１２０で取得した検査後の血圧との血圧比Ｂｐｒを算出して、検査前後における患者の血圧の変化度合いを表す指標値とする。血圧比Ｂｐｒは（検査後の血圧／検査前の血圧）によって表されるが、（検査前の血圧／検査後の血圧）で表すようにしてもよい。
【００９９】
ＣＰＵ４１は、血圧比Ｂｐｒが血圧の変化度合いの許容範囲Ｕ内であれば、患者は歩行や判断に支障がでるほどのめまいを起こしにくいと判定する。許容範囲Ｕは、例えば歩行や判断に支障がでるほどのめまいが生じるか検査後の患者にアンケートを行い、アンケート結果を当該患者の血圧比Ｂｐｒと対応付けることで予め設定され、不揮発性メモリ４４に記憶されている。具体的には、例えば許容範囲Ｕが±５％に設定されている場合、血圧比Ｂｐｒが（０．９５≦Ｂｐｒ≦１．０５）であれば、ＣＰＵ４１は、患者は歩行や判断に支障がでるほどのめまいを起こしにくいと判定する。
【０１００】
なお、場合によっては検査後に血圧が上昇することもあるため、血圧比Ｂｐｒの許容範囲Ｕをマイナスの範囲だけでなくプラスの範囲にも設定しておくことが好ましい。
【０１０１】
ＣＰＵ４１は、上述したバランス値ＢＶ及び血圧比Ｂｐｒを算出し、例えばバランス値ＢＶが予め定めた閾値Ｔ以上で、かつ、血圧比Ｂｐｒが許容範囲Ｕに含まれる場合、患者は病院で休息を取らずにすぐに帰宅してもよいと判定する。一方、バランス値ＢＶが予め定めた閾値Ｔ未満、または血圧比Ｂｐｒが許容範囲Ｕを超える場合には、ＣＰＵ４１は、患者は病院で休息をとってから帰宅した方がよいと判定する。
【０１０２】
ここで閾値Ｔは、バランス値ＢＶがこの値以上であれば、患者が歩行に支障がでるほどのふらつきを起こしにくいと考えられる値に予め設定され、例えば不揮発性メモリ４４に記憶されている。なお、ここでは血圧の変化度合いを血圧比Ｂｐｒとして表したが、検査前後におけるそれぞれの血圧の差分で表してもよい。この場合、血圧の差分が許容範囲内であれば、ＣＰＵ４１は、患者は歩行や判断に支障がでるほどのめまいを起こしにくいと判定する。
【０１０３】
ステップＳ１５０において、ＣＰＵ４１は、ステップＳ１４０で決定した、患者の活動に関する決定内容の一例である休息の要否を医療従事者に報知する。決定内容の報知方法に制約はなく、決定内容を情報処理装置３０の表示ユニット４９に表示する方法の他、決定内容を音声で通知する方法や、図示しない印字ユニットを用いて用紙に印字する方法を用いてもよい。また、ＣＰＵ４１は通信回線２または通信回線４を通じて、医療従事者が予め登録しているスマートフォン等の情報機器に決定内容を送信することで、医療従事者に休息の要否を報知するようにしてもよい。
【０１０４】
休息の要否の報知先は医療従事者に限られない。例えばＣＰＵ４１は通信回線２または通信回線４を通じて、患者が予め登録しているスマートフォン等の情報機器に決定内容を送信して、患者に休息の要否を報知するようにしてもよい。この場合、患者は最終的な休息の要否を医療従事者に確認し、帰宅の許可が出てから帰宅することになる。以上により、図７に示した情報処理を終了する。
【０１０５】
図７に示した情報処理の例では、検査前後における患者の身体バランスの変化度合い、及び血圧の変化度合いを用いて休息の要否を決定した。しかしながら、例えば血圧の低下によるめまいにより患者がふらついたとしても、そのふらつきは、バランス測定器１０による検査後の身体バランスの測定値に含まれる。すなわち、患者に対する休息の要否を決定するには、検査前後における患者の身体バランスの変化度合いに注目すれば十分であるとも考えられる。したがって、情報処理装置３０は、検査前後における患者の身体バランスの変化度合いから、患者に対する休息の要否を決定してもよい。
【０１０６】
この場合、図１に示した情報処理システム１００から、血圧計２０及び通信回線４は不要となり、図７に示した情報処理のステップＳ４０及びＳ１２０も不要となる。更に、ステップＳ１４０において、血圧比Ｂｐｒの算出が不要となり、ＣＰＵ４１は、バランス値ＢＶが閾値Ｔ以上の場合に、患者は病院で休息を取らずにすぐに帰宅してもよいと判定すればよい。ただし、血圧比Ｂｐｒを加味して患者の休息の要否を判定した方が、バランス値ＢＶだけから患者の休息の要否を判定するよりも判定精度が向上することがある。
【０１０７】
情報処理装置３０は上記に説明した病院における検査後の休息の要否だけでなく、人の活動の要否について判断する場面にも用いられる。
【０１０８】
例えば情報処理装置３０は、介護施設に居住する居住者の身体バランスデータを取得し、今日測定された身体バランスデータと昨日測定された身体バランスデータから得られるバランス値ＢＶに基づいて、居住者に散歩等の外出の許可を出してもよいか判定し、施設職員に報知してもよい。情報処理装置３０は、バランス値ＢＶが閾値Ｔ以上であれば居住者の体調がいいと判断して、居住者に体を動かすことを推奨する。すなわち、本実施の形態に係る「検査」とは必ずしも医療機関での検査に限られない。検査とは、体の状態を確認する行為であり、検査の際に投薬を伴う必要もない。
【０１０９】
このように第１実施形態に係る情報処理装置３０によれば、薬剤の投与が行われる検査の前後における患者の身体バランスの変化度合い、若しくは、患者の身体バランスの変化度合い及び血圧の変化度合いを用いて、検査後における患者の活動の要否を報知する。
【０１１０】
＜第１実施形態の変形例＞
図７に示した情報処理では、薬剤の投与が行われた検査後に、薬剤の影響によるめまいやふらつきが治まらないうちに病院から帰宅して、患者が転倒して怪我をしたり、事故にあったりすることを抑制するために休息の要否を報知した。
【０１１１】
しかしながら、患者が転倒する場面は病院からの帰宅時に限られない。薬剤を投与してから間もない検査終了直後であれば、帰宅時よりも薬剤による脳への影響が強く残っているため、病院の中でもふらついて転倒するような状況が考えられる。特に、バランス測定器１０で患者が閉眼して検査後の身体バランスを測定する場合、開眼した状態よりも転倒しやすくなる。片足立ちのロンベルグ試験を行うような場合には、この傾向は更に強くなる。
【０１１２】
したがって、身体バランスの測定中における患者の転倒を抑制するためには、薬剤の影響が薄れてきてから身体バランスの測定を開始することが好ましいが、患者の状態からいつ測定を開始すればよいのかを判定するのは、医療従事者であっても難しいことがある。
【０１１３】
ここでは、検査後における患者の身体バランスの測定をいつ開始したらよいのかを報知する情報処理装置３０について説明する。
【０１１４】
図９は、情報処理装置３０が医療従事者から患者の身体バランスの取得指示を受け付けた場合に、ＣＰＵ４１によって実行される情報処理の流れの一例を示すフローチャートである。
【０１１５】
図９に示す情報処理が図７に示した情報処理と異なる点は、ステップＳ５０〜Ｓ８０が追加された点である。
【０１１６】
ＣＰＵ４１が検査前の患者の血圧を取得した後、ステップＳ５０が実行される。
【０１１７】
ステップＳ５０において、ＣＰＵ４１は、ステップＳ３０で抽出されたバランス情報からスコアを算出し、算出したスコアをＲＡＭ４３に記憶する。
【０１１８】
「スコア」とは、患者の身体バランスの優劣を示す指標値であり、例えばスコアが大きくなるにつれて、患者のふらつきが小さく、身体バランスが優れていることを表す。したがって、ＣＰＵ４１は、頭部移動距離Ｄhaed及び足圧重心移動距離Ｄfootが短いほどスコアが大きくなるようにスコアを設定し、また、頭部移動面積Ａhaed及び足圧重心移動面積Ａfootが小さいほどスコアが大きくなるようにスコアを設定する。ＣＰＵ４１は、頭部移動距離Ｄhaed、足圧重心移動距離Ｄfoot、頭部移動面積Ａhaed、及び足圧重心移動面積Ａfootの組み合わせとスコアを予め対応付けたスコアテーブルを参照してスコアを算出するが、頭部移動距離Ｄhaed、足圧重心移動距離Ｄfoot、頭部移動面積Ａhaed、及び足圧重心移動面積Ａfootの各変数からスコアを算出する予め定めた演算式を用いてスコアを算出してもよい。
【０１１９】
例えば図４に示した検査前の患者のバランス情報に対応したスコアは「９５．４」に設定されており、検査前より身体バランスが劣る検査後の患者のバランス情報に対応したスコアは、検査前のスコアより低い「７７．８」に設定されている。
【０１２０】
ステップＳ６０において、ＣＰＵ４１は、検査において患者に投与される予定の薬剤の種類を取得する。
【０１２１】
検査に用いられる薬剤には様々な種類が存在するが、薬剤の特性に応じて薬剤を予めいくつかのグループに分類する。ここでは一例として薬剤を４つのグループに分類する。
【０１２２】
例えば局部麻酔や全身麻酔のように、意識の低下によってめまいやふらつきが生じる薬剤がグループ１に分類される。また、例えば睡眠を促す成分が含まれる風邪薬のように、眠気によってめまいやふらつきが生じる薬剤がグループ２に分類される。また、例えば利尿剤や降圧剤のように、血圧の低下によってめまいやふらつきが生じる薬剤がグループ３に分類される。また、グループ１〜グループ３に分類される薬剤よりもめまいやふらつきを起こしにくい薬剤がグループ４に分類される。
【０１２３】
当然のことながら、薬剤のグループを４つに限定する必要はなく、例えば目の検査のために瞳孔を開かせる薬剤が用いられる場合、患者は検査終了後もまぶしくて歩行しにくくなることがある。したがって、このような視覚に影響を与える薬剤や、例えば吐き気を伴う薬剤等をその程度に応じて分類し、新たなグループとして追加してもよい。
【０１２４】
検査において患者に投与される予定の薬剤が含まれるグループの番号を入力する領域を操作画面５０に予め設けておくことで、ＣＰＵ４１は、操作画面５０を通じて取得したグループの番号から、患者に投与される予定の薬剤の種類を取得する。
【０１２５】
ステップＳ７０において、ＣＰＵ４１は、ステップＳ５０で算出した患者の検査前のスコアと、ステップＳ６０で取得した患者に投与予定の薬剤の種類を用いて、患者の検査が終了してから身体バランスの測定を開始するまでの期間（以降、「身体バランスの測定開始期間」という）を決定する。
【０１２６】
薬剤の種類を表すグループにはグループ毎に投薬係数が予め対応付けられている。「投薬係数」とは、薬剤が投与された場合、身体のバランスの変化度合いが投与前に比べてどの程度変化するのかを示す値であり、身体のバランスの変化度合いの面から患者に投与された薬剤の種類を示す値である。ここでは一例として、めまいやふらつきによって検査前後における身体バランスの変化度合いが大きくなる薬剤の種類ほど、値が大きくなるように投薬係数を予め設定しておき、不揮発性メモリ４４に記憶しておく。例えばグループ４の投薬係数は“１．０”、グループ３の投薬係数は“１．２”、グループ２の投薬係数は“１．３”、グループ１の投薬係数は“１．５”に設定される。
【０１２７】
ＣＰＵ４１は、スコアを投薬係数で割った評価値（評価値＝スコア／投薬係数）を用いて、身体バランスの測定開始期間を決定する。
【０１２８】
めまいやふらつきを起こしやすい薬剤ほど投薬係数が大きく設定されているため、評価値は小さくなる。また、患者の身体バランスが劣っている患者ほど、スコアが小さくなるように設定されているため、評価値は小さくなる。すなわち、評価値が小さい患者ほど、回復のための休息を長くとった方がよいと考えられるため、ＣＰＵ４１は、評価値が小さい患者ほど身体バランスの測定開始期間が長くなるように決定する。
【０１２９】
なお、身体バランスの測定においてふらつきが小さく、身体バランスが優れている患者ほどスコアが小さくなるように設定し、めまいやふらつきによって検査前後における身体バランスの変化度合いが大きくなる薬剤の種類ほど、投薬係数が小さくなるように設定した場合には、ＣＰＵ４１は、評価値が大きい患者ほど身体バランスの測定開始期間が長くなるように決定すればよい。
【０１３０】
ＣＰＵ４１は、例えば評価値と身体バランスの測定開始期間を予め対応付けた評価値テーブルを参照して、身体バランスの測定開始期間を決定する。評価値テーブルは、例えば不揮発性メモリ４４に予め記憶しておけばよい。
【０１３１】
ステップＳ８０において、ＣＰＵ４１は、患者の活動に関する決定内容の一例であるステップＳ７０で決定した身体バランスの測定開始期間を、患者及び医療従事者に報知して、図９に示す情報処理を終了する。
【０１３２】
なお、図９に示す情報処理の説明では、薬剤の種類毎にグループ化して、グループ毎に投薬係数を設定したが、薬剤毎に投薬係数を設定してもよい。
【０１３３】
このように第１実施形態の変形例に係る情報処理装置３０によれば、検査後における患者の身体バランスの測定をいつ開始したらよいかの目安を患者及び医療従事者に報知する。
【０１３４】
＜第２実施形態＞
第１実施形態に示す情報処理装置３０は、病院での検査後に、患者が休息してから帰宅した方がよいのか、それともすぐに帰宅してもよいのかというように、患者の活動の要否を報知するものであった。一方、情報処理装置３０によって患者に休息が必要と報知された場合、医療従事者は、患者がどの程度の休息をとってから帰宅すればよいのかを判断する必要がある。
【０１３５】
第２実施形態では、患者に必要な休息時間を報知する情報処理装置３０Ａについて説明する。
【０１３６】
なお、情報処理装置３０Ａを含むシステム構成例、情報処理装置３０Ａの機能構成例、及び情報処理装置３０Ａにおける電気系統の要部構成例は、それぞれ図１、図３、及び図６と同じであるため説明を省略する。
【０１３７】
図１０は、情報処理装置３０Ａが医療従事者から患者の身体バランスの取得指示を受け付けた場合に、ＣＰＵ４１によって実行される情報処理の流れの一例を示すフローチャートである。
【０１３８】
図１０に示す情報処理が図９に示した第１実施形態の変形例に係る情報処理と異なる点は、ステップＳ１５０が削除され、その代わりにステップＳ１６０〜Ｓ２００が追加された点であり、その他の処理は図９と同じである。
【０１３９】
図１０に示す情報処理では、ステップＳ１４０で患者に対する休息の要否が決定された後、ステップＳ１６０が実行される。
【０１４０】
ステップＳ１６０において、ＣＰＵ４１は、ステップＳ１４０で患者に休息が必要と決定されたか否かを判定する。患者に休息が必要と決定された場合には、ステップＳ１７０に移行する。
【０１４１】
ステップＳ１７０において、ＣＰＵ４１は、ステップＳ１１０で抽出した検査後の患者のバランス情報からスコアを算出し、算出したスコアをＲＡＭ４３に記憶する。
【０１４２】
ステップＳ１８０において、ＣＰＵ４１は、ステップＳ５０で算出した検査前の患者のスコアと、ステップＳ１７０で算出した検査後の患者のスコアを用いてスコア比を算出する。スコア比は、検査前後における患者の身体バランスの変化度合いを示す指標値であり、例えば検査前の患者のスコアを検査後の患者のスコアで割った値が用いられる。図４及び図５に示した患者のスコア例を用いた場合、図４のスコアは“９５．４”で図５のスコアは“７７．８”であるため、小数点第３位を四捨五入すれば、スコア比は“１．２３”となる。スコア比は、患者の検査前後における身体バランスの変化度合いを表しており、スコア比が大きいほど、検査後の身体バランスが検査前より劣化していることを示している。検査前後の患者の身体バランスに変化がなければ、スコア比は“１．００”となる。
【０１４３】
ステップＳ１９０において、ＣＰＵ４１は、患者に必要な休息時間を算出する。そのため、まずＣＰＵ４１は、ステップＳ４０で取得した検査前の患者の血圧と、ステップＳ１２０で取得した検査後の患者の血圧を用いて血圧比を算出する。血圧比は、例えば検査後の患者の血圧を検査前の患者の血圧で割った値が用いられる。検査前の患者の血圧が“１２０ｍｍＨｇ”で、検査後の患者の血圧が“１１５ｍｍＨｇ”の場合、小数点第４位を四捨五入すれば、血圧比は“０．９５８”となる。血圧比は、患者の検査前後における血圧の変化度合いを表しており、血圧の低下はめまいやふらつきを引き起こすため、血圧比が大きいほど、めまいやふらつきが発生しやすいことを示している。
【０１４４】
スコア比をＡr、血圧比をＢpr、投薬係数をＫeとすれば、患者に必要な休息時間Ｔres(単位は［Ｈ］)は（２）式で算出される。
【０１４５】
【数２】
2020092747.tif 000004
【０１４６】
ここでＨsは、基準となる休息時間であり、例えば１時間に設定されるが、状況にあわせて変更される値である。
【０１４７】
検査でグループ３に分類される薬剤が患者に投与され、スコア比が“１．２３”、血圧比が“０．９５８”、及び基準となる休息時間が１時間の場合、投薬係数が“１．２”となるため、（２）式から得られる患者の休息時間は約１時間２９分に決定される。
【０１４８】
血圧比、スコア比、及び投薬係数はそれぞれ値が大きくなるほど、めまいやふらつきが発生しやすいことを示している。したがって、休息時間の算出に用いられる演算式は（２）式に限られず、血圧比、スコア比、及び投薬係数の少なくとも１つのパラメータが大きくなるほど、休息時間が長くなるように算出される演算式であればどのような演算式であってもよい。
【０１４９】
なお、値が小さくなるほど、めまいやふらつきが発生しやすいことを示している血圧比、スコア比、及び投薬係数を用いた場合、血圧比、スコア比、及び投薬係数の少なくとも１つのパラメータが小さくなるほど休息時間が長くなる演算式を用いればよい。
【０１５０】
ステップＳ１９０の実行後、またはステップＳ１６０の判定処理で患者に休息は必要ないと判定された場合にはステップＳ２００が実行される。
【０１５１】
ステップＳ２００において、ステップＳ１６０の判定処理で患者に休息は必要ないと判定された場合には、ＣＰＵ４１は、患者に休息は必要なく、すぐに帰宅してもよいことを医療従事者や患者に報知する。一方、ステップＳ１６０の判定処理で患者に休息が必要と判定された場合には、患者に休息が必要であること、及びステップＳ１９０で決定した休息時間を医療従事者や患者に報知する。以上により、図１０に示した情報処理を終了する。
【０１５２】
図１０のステップＳ１９０では、血圧比、スコア比、及び投薬係数を用いて患者の休息時間を算出したが、第１実施形態でも説明したように、血圧の低下によるめまいにより患者がふらついたとしても、そのふらつきは、バランス測定器１０による検査後の身体バランスの測定値に含まれ、スコアとして反映されることになる。すなわち、患者の休息時間を決定するためには、スコア比及び投薬係数に注目すれば十分とも考えられる。したがって、情報処理装置３０Ａは（３）式に示すように、スコア比及び投薬係数を用いて患者の休息時間を算出するようにしてもよい。
【０１５３】
【数３】
2020092747.tif 000005
【０１５４】
以上、各実施の形態を用いて本発明について説明したが、本発明は各実施の形態に記載の範囲には限定されない。本発明の要旨を逸脱しない範囲で各実施の形態に多様な変更又は改良を加えることができ、当該変更又は改良を加えた形態も本発明の技術的範囲に含まれる。例えば、本発明の要旨を逸脱しない範囲で処理の順序を変更してもよい。
【０１５５】
また、各実施の形態では、一例として情報処理をソフトウエアで実現する形態について説明したが、図７、図９、及び図１０に示したフローチャートと同等の処理を、例えばＡＳＩＣ(Application Specific Integrated Circuit)に実装し、ハードウエアで処理させるようにしてもよい。この場合、情報処理をソフトウエアで実現した場合と比較して、処理の高速化が図られる。
【０１５６】
また、上述した各実施の形態では、情報処理プログラムがＲＯＭ４２にインストールされている形態を説明したが、これに限定されるものではない。本発明に係る情報処理プログラムは、コンピュータで読み取り可能な記憶媒体に記録された形態で提供することも可能である。例えば、本発明に係る情報処理プログラムを、ＣＤ(Compact Disc)−ＲＯＭ、またはＤＶＤ(Digital Versatile Disc)−ＲＯＭ等の光ディスクに記録した形態で提供してもよい。また、本発明に係る情報処理プログラムを、ＵＳＢ(Universal Serial Bus)メモリ及びフラッシュメモリ等の半導体メモリに記録した形態で提供してもよい。更に、通信回線２または通信回線４に接続される図示しない外部装置から、通信回線２または通信回線４を通じて本発明に係る情報処理プログラムを取得するようにしてもよい。
【符号の説明】
【０１５７】
２（４）・・・通信回線、１０・・・バランス測定器、１２・・・頭部動きセンサ、１４・・・足圧センサ、１６・・・マーカー、１８・・・支柱、２０・・・血圧計、３０（３０Ａ）・・・情報処理装置、３２・・・取得部、３４・・・抽出部、３６・・・決定部、３８・・・報知部、４０・・・コンピュータ、４１・・・ＣＰＵ、４２・・・ＲＯＭ、４３・・・ＲＡＭ、４４・・・不揮発性メモリ、４７・・・通信ユニット、４８・・・入力ユニット、４９・・・表示ユニット、５０・・・操作画面、５１・・・ラジオボタン、５２・・・計測スタートボタン、５３・・・エディットボックス、５４・・・推定開始ボタン、５５・・・表示領域、１００・・・情報処理システム、Ａfoot・・・足圧重心移動面積、Ａhaed・・・頭部移動面積、Ｄfoot・・・足圧重心移動距離、Ｄhaed・・・頭部移動距離、Ｔres・・・休息時間
【図１】
2020092747.tif 000006
【図２】
2020092747.tif 000007
【図３】
2020092747.tif 000008
【図４】
2020092747.tif 000009
【図５】
2020092747.tif 000010
【図６】
2020092747.tif 000011
【図７】
2020092747.tif 000012
【図８】
2020092747.tif 000013
【図９】
2020092747.tif 000014
【図１０】
2020092747.tif 000015